(57)【要約】【課題】不意に射出体が発射されるおそれが減少した射出玩具およびその射出玩具を有する玩具体を提供すること。【解決手段】  開口１３を有する収容室１１と、収容室１１に収容された射出体２０を射出可能な射出手段３０と、収容室１１に設けられて、開口１３の少なくとも一部を塞ぐ閉鎖位置と、開口１３を開放する開放位置との間を移動可能で、開放位置までの移動以降に追加移動可能である蓋体１５と、追加移動に対応して射出手段３０を駆動させる射出制御手段４０と、を有する射出玩具。【選択図】図２
2014014699.tif 000002
【特許請求の範囲】
【請求項１】
開口を有する収容室と、
前記収容室に収容された射出体を射出可能な射出手段と、
前記収容室に設けられて、前記開口の少なくとも一部を塞ぐ閉鎖位置と、前記開口を開放する開放位置との間を移動可能で、前記開放位置までの移動以降に追加移動可能である蓋体と、
前記追加移動に対応して前記射出手段を駆動させる射出制御手段と、
を有する射出玩具。
【請求項２】
前記射出手段は、前記収容室内で前記射出体を前記開口方向へ付勢する付勢部材と、前記蓋体が閉鎖位置にあるとき前記付勢部材の付勢力に抗して前記射出体を収容室内に保持する保持部材と、からなり、
前記射出制御手段が、前記蓋体の追加移動において前記保持部材による保持を解除する解除部材である請求項１記載の射出玩具。
【請求項３】
請求項１又は２に記載の射出玩具を有する玩具体。
【発明の詳細な説明】
【技術分野】
【０００１】
本発明は、射出体を射出可能の射出玩具と射出玩具を有する玩具体に関する。
【背景技術】
【０００２】
従来、特許文献１では、弾丸発射装置を示しており、砲筒に装填される弾丸の後部に環状溝が備えられている。弾丸は砲筒内でコイル状スプリングに付勢されている。一方で、弾丸係止杆の係止突起が弾丸の環状溝と係合してコイル状スプリングに抗して砲筒内で弾丸を保持している。
【先行技術文献】
【特許文献】
【０００３】
【特許文献１】実開昭５７−１００９９８号公報
【発明の概要】
【発明が解決しようとする課題】
【０００４】
ところで、上記特許文献１においては、弾丸発射の際には、弾丸係止杆による弾丸の係止状態を解除するため、砲筒の後部に露出している作動筒体の後部を押し、砲筒内へ作動筒体を押し込むことで、弾丸と弾丸係止杆の係止突起と間に作動筒体が入り、係止状態を解除して、弾丸を発射する。
【０００５】
従って、作動筒体は装置外部に露出していることが必須の構成要件である。この様に、弾丸の発射を実施する作動筒体が装置外部に配置される場合、作動筒体が何かに接触して押し込まれるなどすると、不意に弾丸が発射されてしまうおそれがある。また、砲筒は蓋によって塞がれていないため、不意に弾丸が発射されるとそれをさえぎるものがない。
このような誤射を防ぐためには、何らかの安全装置を組み込む必要があり、部品点数を増やす結果となる。
【０００６】
従って、本発明は、不意に射出体が発射されるおそれが減少した射出玩具およびその射出玩具を有する玩具体を提供することを目的とする。
【課題を解決するための手段】
【０００７】
本発明の射出玩具は、開口を有する収容室と、前記収容室に収容された射出体を射出可能な射出手段と、前記収容室に設けられて、前記開口の少なくとも一部を塞ぐ閉鎖位置と、前記開口を開放する開放位置との間を移動可能で、前記開放位置までの移動以降に追加移動可能である蓋体と、前記追加移動に対応して前記射出手段を駆動させる射出制御手段と、を備える構成である。
【０００８】
また、本発明の射出玩具は、前記射出手段が、前記収容室内で前記射出体を前記開口方向へ付勢するばね部材と、前記収容室に軸支されて前記蓋体の閉鎖位置で前記射出体に係合することで前記ばね部材の付勢力に抗して前記射出体を保持するかぎ爪部材と、からなり、前記射出制御手段が、前記蓋体の追加移動を前記かぎ爪部材の係合を解除する回動方向へ伝える解除部材である構成が好ましい。
【０００９】
更に、本発明は、射出玩具を有する玩具体とする構成が好ましい。
【発明の効果】
【００１０】
本発明によれば、不意に弾丸が発射されるおそれが減少した射出玩具およびその射出玩具を有する玩具体を提供することが可能となる。
【図面の簡単な説明】
【００１１】
【図１】本発明に係わる射出玩具の実施形態を示す斜視図である。
【図２】図１に示した射出玩具の長手方向の断面図である。
【図３】図２の射出玩具で蓋体が開放位置にあるときの断面図である。
【図４】図２の射出玩具で蓋体が追加移動した状態であるときの断面図である。
【発明を実施するための最良の形態】
【００１２】
以下、本発明に係わる射出玩具の好ましい実施形態について、図面を参照しながら説明する。
図１は、本発明に係わる射出玩具の実施形態を示す斜視図、図２は、図１に示した射出玩具の長手方向の断面図である。
【００１３】
本実施形態の射出玩具１は、筐体１０において開口１３を有する収容室１１と、回動軸１７で筐体１０に軸支される蓋体１５とから構成される。蓋体１５は回動軸１７周りを回動可能である。また、蓋体１５は開口１３を塞ぐ閉鎖位置を取りえる。なお、図１は、蓋体１５が閉鎖位置にある状態を示しており、かつ、収容室１１に射出体２０が収容された状態を示している。
収容室１１の奥側には射出体２０を射出するための射出手段３０が配置されている。この射出手段３０はかぎ爪部材３１（本発明にいう保持部材）とばね部材３３（本発明にいう付勢部材）とから構成される。また、射出手段３０と蓋体１５とを連結する解除部材４０が射出制御手段として射出体２０に平行して配置されている。
【００１４】
射出体２０は収容室１１の内径に遊び程度の隙間を成して収容される寸法である。収容室１１に収容されたとき、収容室１１の奥側に位置することになる射出体後部２１には、射出方向を中心軸として環状溝２２が形成されている。
かぎ爪部材３１は収容室１１の奥側において軸３５によって射出方向と略直交する方向の軸周りに回動可能に軸支されている。このとき、かぎ爪部材３１の先端部は、開口１３の方向へと延びており、当該先端部にはフック３７が配置されている。また、かぎ爪部材３１は、その先端部が、かぎ爪部材３１が収容室１１の奥側に軸支されているとき、前記フック３７が収容室１１に収容された射出体２０の射出体後部２１の環状溝２２と係合可能となるような位置にある形状に形成されている。軸３５の位置から収容室１１の方向に延設されたかぎ爪部材後部３２にはばね部材３３が設置されており、ばね部材３３は、収容室１１に収容された射出体２０の射出体後端２３と当接可能となっている。すなわち、ばね部材３３は、収容室１１に収容された射出体２０の射出体後端２３を開口１３方向へ付勢可能である。なお、かぎ爪部材３１には、軸３５の位置から収容室１１から離れる方向へと延設された作用部３９も設けられている。
【００１５】
次に、収容室１１において射出体２０が保持される仕組みについて説明する。まず、射出体２０を収容室１１に収容すると、射出体２０の射出体後端２３がばね部材３３に当接して、ばね部材３３を収容室１１の奥側へと押す。収容室１１の奥側へと押されたばね部材３３は、かぎ爪部材後部３２を収容室１１の奥側へと押すので、かぎ爪部材３１は、軸３５周りを、その先端部が収容室１１内の射出体２０に向かう方向へと回動する。すると、かぎ爪部材３１の先端部に設けられたフック３７も射出体２０に向かうことになり、射出体２０の射出体後部２１の環状溝２２と係合する。この係合により、射出体２０は、ばね部材３３によって射出方向（開口１３の方向）へと付勢力に抗する形で収容室１１に保持されることになる。
【００１６】
また、射出制御手段としての解除部材４０は、その後端４３が、収容室１１の奥側でかぎ爪部材３１の作用部３９と接することが可能となるような位置に配置されている。このとき、解除部材４０の先端部は開口１３方向に向いており、当該先端部には先端傾斜面４１が配置されている。更に、解除部材４０は収容室１１の長手方向に摺動可能となっている。
【００１７】
図３は、図２の射出玩具で蓋体が開放位置にあるときの断面図、図４は、図２の射出玩具で蓋体が追加移動した状態にあるときの断面図である。
蓋体１５は図１に示した開口１３を閉鎖する閉鎖位置から開口１３を開放する開放位置へ移動している。そして、蓋体１５には、閉鎖位置から開放位置へと移動する際に一体となって移動する突起１９が設けられている。なお、本実施形態においては、突起１９は、蓋体１５が収容室１１に軸支されている部分に備えられている。そして、開口１３が完全に開放状態となる開放方向移動の終局（このとき蓋体１５は開放位置にある）で、突起１９は解除部材４０の先端傾斜面４１と接することが可能な位置に設けられている。
【００１８】
突起１９と解除部材４０の先端傾斜面４１が当接した時点では、解除部材４０は移動しておらず、フック３７と環状溝２２とは係合した状態を維持している。ここで、図４に示すように、回動軸１７中心に蓋体１５の追加移動を実施する。
蓋体１５について回動軸１７中心に追加移動を実施すると、突起１９もともに追加移動する。具体的には、蓋体１５の回動軸１７周りの回動方向と同じ方向（図４における矢印Ｐ１方向）へと回動する。この回動によって、突起１９と接している解除部材４０の先端傾斜面４１が押圧され、先端傾斜面４１上で突起１９が滑りながら解除部材４０は収容室１１の奥側方向（図４における矢印Ｐ２の方向）へ摺動する。
【００１９】
解除部材４０が収容室１１の奥側方向（矢印Ｐ２の方向）へ摺動することで、解除部材後端４３が接していたかぎ爪部材３１の作用部３９も収容室１１の奥側方向へ押圧され、軸３５を中心にかぎ爪部材３１が、その先端部が収容室１１内の射出体２０から離間する方向へと回転し（図４では時計方向）、フック３７と環状溝２２の係合が解除され、ばね部材３３の付勢力により、射出体２０が射出される。
このように、蓋体１５の追加移動が射出手段３０の射出スイッチをオンする動作となる。別言すれば、蓋体１５の追加移動は、射出体２０の収容室１１内における保持を解除する動作となる。
【００２０】
以上のように、本実施形態の射出玩具によれば、蓋体１５が射出体２０の収容室１１内における保持を解除する（射出ボタンの役割を担う）のは、蓋体１５が開口１１を完全に開放状態にした（開放位置に移動した）後であるため、使用者が意図的に蓋体１５を開放位置に移動させない限りは、射出体２０が射出されてしまうおそれは低く、万が一、使用者が蓋体１５を開放位置に移動させていない状態で、何らかの原因によって射出体２０の保持が解除されても、蓋体１５が開放位置にない、すなわち、閉鎖位置にあるので、射出体２０の飛び出しは蓋体１５によって抑えられる。したがって、突然の射出によるケガなどを未然に防ぎ、安全性を高めることができる。
【００２１】
なお、本発明は上記実施形態に限定されるものではなく、本発明の目的を達成できる範囲での変形、改良などは本発明の含まれるものである。
例えば、本実施形態は、蓋体１５は射出体２０の射出方向へ開くように、回動軸１７が設定されているが、射出体２０の射出方向と垂直方向へスライドして開閉する構成とすることもできる。
また、本実施形態は、射出手段及び射出制御手段を機械構成により提供しているが、ソレノイド、モータ、圧縮空気などを利用することも可能である。
更に、本実施形態である射出玩具を玩具体に適用することが可能であり、例えば人形型玩具体の腕や足に組み込むことができる。
【符号の説明】
【００２２】
１０  筐体
１１  収容室
１３  開口
１５  蓋体
１７  回動軸
１９  突起
２０  射出体
２２  環状溝
３０  射出手段
３１  かぎ爪部材（保持部材）
３２  かぎ爪部材後部
３３  ばね部材（付勢部材）
３５  軸
３７  フック
３９  作用部
４０  解除部材
【図１】
2014014699.tif 000003
【図２】
2014014699.tif 000004
【図３】
2014014699.tif 000005
【図４】
2014014699.tif 000006